(57)【要約】【課題】  送信用素子からの送信信号が血流や血管壁によって変化を受け、反射信号として受信用素子で受信されたものを処理することで脈信号を得る脈検出装置に対して使用する、劣化検出装置を提供する【解決手段】  第１の送信用素子３２と第１の受信用素子３３からなる脈センサデバイス３を有する脈検出装置１を、第２の送信用素子７と第２の受信用素子６を有する劣化検出装置２に設置した際、第１の送信用素子３２と第２の受信用素子６、第１の受信用素子３３と第２の送信用素子６、がそれぞれ相対して向き合うように、劣化検出装置２に第２の送信用素子７と第２の受信用素子６を配置する。例えば第１の送信用素子３２を駆動した時の第２の受信用素子６の受信出力を正常範囲と比較することで、第１の送信用素子３２の劣化進度を定量的に検出できる。【選択図】    図１
2004298619.tif 000002
【特許請求の範囲】
【請求項１】
基板と、この基板上に配置された送信用素子と受信用素子と、から構成されるセンサデバイスの劣化検出装置。
【請求項２】
第１の送信用素子と、前記第１の送信用素子から送信される信号の反射信号を受信する第１の受信用素子とからなる脈センサデバイスを備えた脈検出装置の、前記脈センサデバイスの劣化進度を定量的に検出する劣化検出装置であって、
前記劣化検出装置には、前記脈検出装置の脈センサデバイスと対になるように第２の送信用素子と第２の受信用素子が備えられ、
前記第２の送信用素子と前記第２の受信用素子は、前記脈センサデバイスを前記劣化検出装置に設置した際、脈センサデバイスに備えられた前記第１の送信用素子と劣化検出装置に備えられた前記第２の受信用素子、脈センサデバイスに備えられた前記第１の受信用素子と劣化検出装置に備えられた前記第２の送信用素子、がそれぞれ相対して向き合うように配置されたことを特徴とする劣化検出装置。
【請求項３】
前記劣化検出装置は、前記第１の送信用素子を駆動した時の前記第２の受信用素子の受信出力と予め記憶している正常範囲とを比較して、前記第１の送信用素子の劣化進度を判定する第１の判定手段を備えたことを特徴とする、請求項１または２に記載の劣化検出装置。
【請求項４】
前記劣化検出装置は、前記第２の送信用素子を駆動した時の前記第１の受信用素子の受信出力と予め記憶している正常範囲とを比較して、前記第１の受信用素子の劣化進度を判定する第２の判定手段を備えたことを特徴とする、請求項１乃至３のいずれかに記載の劣化検出装置。
【請求項５】
前記劣化検出装置の第１の判定手段あるいは第２の判定手段に用いられる正常範囲が、受信した信号に応じた出力電圧波形の振幅であることを特徴とする、請求項１乃至４のいずれかに記載の劣化検出装置。
【請求項６】
前記劣化検出装置の第１の判定手段あるいは第２の判定手段に用いられる正常範囲が、受信した信号に応じた特定周波数におけるパワースペクトルであることを特徴とする、請求項１乃至４のいずれかに記載の劣化検出装置。
【請求項７】
前記劣化検出装置が前記脈検出装置の充電器に備えられたことを特徴とする、請求項１乃至４のいずれかに記載の劣化検出装置。
【請求項８】
第１の送信用素子と、前記第１の送信素子から送信される信号の反射信号を受信する第１の受信用素子とからなる脈センサデバイスを備えた脈検出装置の、前記脈センサデバイスの劣化進度を、第２の送信用素子と第２の受信用素子を有する劣化検出装置を用いて定量的に検出する劣化検出方法であって、
脈センサデバイスに備えられた前記第１の送信用素子と劣化検出装置に備えられた前記第２の受信用素子、脈センサデバイスに備えられた前記第１の受信用素子と劣化検出装置に備えられた前記第２の送信用素子、がそれぞれ相対して向き合うように配置し、
前記第１の送信用素子を駆動した時の前記第２の受信用素子の受信出力、及び／若しくは、第２の送信用素子を駆動した時の前記第１の受信用素子の受信出力を、予め記憶されている正常範囲と比較し、
比較結果から前記第１の送信用素子、及び／若しくは前記第１の受信用素子の劣化進度を判定する、劣化検出方法。
【請求項９】
前記予め記憶されている正常範囲は、前記第１の受信用素子で受信した信号に応じた出力電圧波形の振幅、及び／若しくは前記第２の受信用素子で受信した信号に応じた出力電圧波形の振幅であることを特徴とする、請求項８に記載の劣化検出方法。
【請求項１０】
前記予め記憶されている正常範囲は、前記第１の受信用素子で受信した信号に応じた特定周波数におけるパワースペクトル、及び／若しくは前記第２の受信用素子で受信した信号に応じた特定周波数におけるパワースペクトルであることを特徴とする、請求項８に記載の劣化検出方法。
【請求項１１】
生体情報を検出する生体情報端末と、前記生体情報端末に用いられていて生体信号を検出するセンサデバイスの劣化進度を検出する劣化検出装置と、前記劣化検出装置から検出されたデータを受信し、受信されたデータの履歴を記録する監視端末と、前記監視端末と公衆回線で接続されるセントラルサーバから構成される劣化検出システムであって、前記監視端末あるいは前記セントラルサーバにおいて、前記センサデバイスの劣化データの履歴から前記センサデバイスの将来的な劣化状態を予測することを特徴とする、劣化検出システム。
【請求項１２】
前記劣化検出システムにおいて、更に前記劣化検出装置において、前記センサデバイスの劣化データの履歴から前記センサデバイスの将来的な劣化状態を予測することを特徴とする、請求項１１に記載の劣化検出システム。
【請求項１３】
前記劣化検出システムにおいて、前記生体情報端末が脈センサデバイスを備えた脈検出装置であり、前記劣化検出装置が前記脈センサデバイスの劣化進度を定量的に検出することを特徴とする、請求項１１または１２に記載の劣化検出システム。
【請求項１４】
前記劣化検出システムにおいて、前記センサデバイスの劣化進度と予測された生体情報の検出が出来なくなる時期が、前記監視端末あるいは前記セントラルサーバから前記生体情報端末に送信され、前記生体情報端末の備えた表示手段に表示されることを特徴とする、請求項１１乃至１３のいずれかに記載の劣化検出システム。
【請求項１５】
前記劣化検出システムにおいて、前記センサデバイスの劣化進度と予測された生体情報の検出が出来なくなる時期が、前記劣化検出装置から前記生体情報端末に送信され、前記生体情報端末の備えた表示手段に表示されることを特徴とする、請求項１１乃至１４のいずれかに記載の劣化検出システム。
【請求項１６】
前記劣化検出システムにおいて、前記脈センサデバイスが第１の送信用圧電素子と前記第１の送信用圧電素子から発生する送信波の反射波を受信する第１の受信用圧電素子とを有し、前記劣化検出装置が第２の送信用圧電素子と第２の受信用圧電素子とを有することを特徴とする、請求項１１乃至１５のいずれかに記載の劣化検出システム。
【請求項１７】
前記劣化検出システムにおいて、前記脈センサデバイスが第１の発光用素子と前記第１の発光用素子から発光される光の反射光を受光する第１の受光用素子とを有し、前記劣化検出装置が第２の発光用素子と第２の受光用素子とを有することを特徴とする、請求項１１乃至１５のいずれかに記載の劣化検出システム。
【請求項１８】
基板と、この基板上に配置された超音波を送信する送信用圧電素子と超音波を受信する受信用圧電素子と、から構成されるセンサデバイスの劣化検出装置。
【請求項１９】
超音波を発生する第１の送信用圧電素子と、前記第１の送信用圧電素子から発生する送信波の反射波を受信する第１の受信用圧電素子とからなる脈センサデバイスを備えた脈検出装置の、前記脈センサデバイスの劣化進度を定量的に検出する劣化検出装置であって、
前記劣化検出装置は、前記脈検出装置の脈センサデバイスと対になるように、第２の送信用圧電素子と第２の受信用圧電素子が備えられ、
脈センサデバイスに備えられた前記第１の送信用圧電素子と劣化検出装置に備えられた前記第２の受信用圧電素子、脈センサデバイスに備えられた前記第１の受信用圧電素子と劣化検出装置に備えられた前記第２の送信用圧電素子がそれぞれ相対して向き合うように配置されたことを特徴とする劣化検出装置。
【請求項２０】
前記劣化検出装置は、前記第１の送信用圧電素子を駆動した時の前記第２の受信用圧電素子の受信出力と予め記憶している正常範囲とを比較して、前記第１の送信用圧電素子の劣化進度を判定する第１の判定手段を備えたことを特徴とする、請求項１８または１９に記載の劣化検出装置。
【請求項２１】
前記劣化検出装置は、前記第２の送信用圧電素子を駆動した時の前記第１の受信用圧電素子の受信出力と予め記憶している正常範囲とを比較して、前記第１の受信用圧電素子の劣化進度を判定する第２の判定手段を備えたことを特徴とする、請求項１８乃至２０のいずれかに記載の劣化検出装置。
【請求項２２】
前記劣化検出装置の第１の判定手段あるいは第２の判定手段に用いられる正常範囲が、受信した超音波に応じた出力電圧波形の振幅であることを特徴とする、請求項１８乃至２１のいずれかに記載の劣化検出装置。
【請求項２３】
前記劣化検出装置の第１の判定手段あるいは第２の判定手段に用いられる正常範囲が、受信した超音波に応じた特定周波数におけるパワースペクトルであることを特徴とする、請求項１８乃至２１のいずれかに記載の劣化検出装置。
【請求項２４】
前記劣化検出装置が前記脈検出装置の充電器に備えられたことを特徴とする、請求項１８乃至２１のいずれかに記載の劣化検出装置。
【請求項２５】
送信用圧電素子を駆動した時の受信用圧電素子の受信出力と、予め記憶している正常範囲とを比較して送信用圧電素子の劣化進度を判定する劣化検出方法。
【請求項２６】
第２の送信用圧電素子を駆動した時の第１の受信用圧電素子の受信出力と予め記憶している正常範囲とを比較して、第１の受信用圧電素子の劣化進度を判定する劣化検出方法。
【請求項２７】
前記劣化検出方法において、予め記憶されている正常範囲が受信した超音波に応じた出力電圧波形の振幅であることを特徴とする、請求項２５または２６に記載の劣化検出方法。
【請求項２８】
前記劣化検出方法において、予め記憶されている正常範囲が受信した超音波に応じた特定周波数におけるパワースペクトルであることを特徴とする、請求項２５または２６に記載の劣化検出方法。
【請求項２９】
第１の送信用圧電素子と、前記第１の送信圧電素子から発生する送信信号の反射信号を受信する第１の受信用圧電素子とからなる脈センサデバイスを備えた脈検出装置の、前記脈センサデバイスの劣化進度を、第２の送信用圧電素子と第２の受信用圧電素子を有する劣化検出装置を用いて定量的に検出する劣化検出方法であって、
脈センサデバイスに備えられた前記第１の送信用圧電素子と劣化検出装置に備えられた前記第２の受信用圧電素子、脈センサデバイスに備えられた前記第１の受信用圧電素子と劣化検出装置に備えられた前記第２の送信用圧電素子、がそれぞれ相対して向き合うように配置し、
前記第１の送信用圧電素子を駆動した時の前記第２の受信用圧電素子の受信出力、及び／若しくは、第２の送信用圧電素子を駆動した時の前記第１の受信用圧電素子の受信出力を、予め記憶されている正常範囲と比較し、
比較結果から前記第１の送信用圧電素子、及び／若しくは前記第１の受信用圧電素子の劣化進度を判定する、劣化検出方法。
【請求項３０】
前記予め記憶されている正常範囲は、前記第１の受信用圧電素子で受信した信号に応じた出力電圧波形の振幅、及び／若しくは前記第２の受信用圧電素子で受信した信号に応じた出力電圧波形の振幅であることを特徴とする、請求項２９に記載の劣化検出方法。
【請求項３１】
前記予め記憶されている正常範囲は、前記第１の受信用圧電素子で受信した信号に応じた特定周波数におけるパワースペクトル、及び／若しくは前記第２の受信用圧電素子で受信した信号に応じた特定周波数におけるパワースペクトルであることを特徴とする、請求項２９に記載の劣化検出方法。
【請求項３２】
基板と、この基板上に配置された発光用素子と受光用素子と、から構成されるセンサデバイスの劣化検出装置。
【請求項３３】
第１の発光用素子と、前記第１の発光用素子から発光される光の反射光を受光する第１の受光用素子とからなる脈センサデバイスを備えた脈検出装置の、前記脈センサデバイスの劣化進度を定量的に検出する劣化検出装置であって、
前記劣化検出装置には、前記脈検出装置の脈センサデバイスと対になるように第２の発光用素子と第２の受光用素子が備えられ、
前記第２の発光用素子と前記第２の受光用素子は、前記脈センサデバイスを前記劣化検出装置に設置した際、脈センサデバイスに備えられた前記第１の発光用素子と劣化検出装置に備えられた前記第２の受光用素子、脈センサデバイスに備えられた前記第１の受光用素子と劣化検出装置に備えられた前記第２の発光用素子、がそれぞれ相対して向き合うように配置されたことを特徴とする劣化検出装置。
【請求項３４】
第１の発光用素子と、前記第１の発光用素子から発光される光の反射光を受光する第１の受光用素子とからなる脈センサデバイスを備えた脈検出装置の、前記脈センサデバイスの劣化進度を定量的に検出する劣化検出装置であって、
前記劣化検出装置には、前記脈検出装置の脈センサデバイスと対になるように第２の発光素子と第２の受光用素子が備えられ、
更に前記劣化検出装置には、前記第１の発光用素子から発光される光を前記第２の受光用素子に受光させるため、前記第１の発光用素子から発光される光を導光させる、発光される光を集光させる、若しくは発光される光の発光方向を変更させる第１の光学素子と、及び／若しくは、前記第２の発光用素子から発光される光を前記第１の受光用素子に受光させるため、前記第２の発光用素子から発光される光を導光させる、発光される光を集光させる、若しくは発光される光の発光方向を変更させる第２の光学素子が備えられたことを特徴とする劣化検出装置。
【請求項３５】
前記第１の光学素子は、導光板、光ファイバ、反射板、レンズ、プリズムの何れかである、請求項３４に記載の劣化検出装置。
【請求項３６】
前記第２の光学素子は、導光板、光ファイバ、反射板、レンズ、プリズムの何れかである、請求項３４に記載の劣化検出装置。
【請求項３７】
前記劣化検出装置は、前記第１の発光用素子を駆動した時の前記第２の受光用素子の受光出力と予め記憶している正常範囲とを比較して、前記第１の発光用素子の劣化進度を判定する第１の判定手段を備えたことを特徴とする、請求項３２乃至３６のいずれかに記載の劣化検出装置。
【請求項３８】
前記劣化検出装置は、前記第２の発光用素子を駆動した時の前記第１の受光用素子の受光出力と予め記憶している正常範囲とを比較して、前記第１の受光用素子の劣化進度を判定する第２の判定手段を備えたことを特徴とする、請求項３２乃至３７のいずれかに記載の劣化検出装置。
【請求項３９】
前記劣化検出装置の第１の判定手段あるいは第２の判定手段に用いられる正常範囲が、受光した光に応じた出力電圧波形の振幅であることを特徴とする、請求項３２乃至３８のいずれかに記載の劣化検出装置。
【請求項４０】
前記劣化検出装置の第１の判定手段あるいは第２の判定手段に用いられる正常範囲が、受光した光に応じた特定周波数におけるパワースペクトルであることを特徴とする、請求項３２乃至３８のいずれかに記載の劣化検出装置。
【請求項４１】
前記劣化検出装置が前記脈検出装置の充電器に備えられたことを特徴とする、請求項３２乃至３８のいずれかに記載の劣化検出装置。
【請求項４２】
第１の発光用素子と、前記第１の発光用素子から発光される光の反射光を受光する第１の受光用素子とからなる脈センサデバイスを備えた脈検出装置の、前記脈センサデバイスの劣化進度を、第２の発光用素子と第２の受光用素子を有する劣化検出装置を用いて定量的に検出する劣化検出方法であって、
脈センサデバイスに備えられた前記第１の発光用素子と劣化検出装置に備えられた前記第２の受光用素子、脈センサデバイスに備えられた前記第１の受光用素子と劣化検出装置に備えられた前記第２の発光用素子、がそれぞれ相対して向き合うように配置し、
前記第１の発光用素子を駆動した時の前記第２の受光用素子の受光出力、及び／若しくは、第２の発光用素子を駆動した時の前記第１の受光用素子の受光出力を、予め記憶されている正常範囲と比較し、
比較結果から前記第１の発光用素子、及び／若しくは前記第１の受光用素子の劣化進度を判定する、劣化検出方法。
【請求項４３】
第１の発光用素子と、前記第１の発光用素子から発光される光の反射光を受光する第１の受光用素子とからなる脈センサデバイスを備えた脈検出装置の、前記脈センサデバイスの劣化進度を、第２の発光用素子と第２の受光用素子とを有する劣化検出装置を用いて定量的に検出する劣化検出方法であって、
前記劣化検出装置は更に第１の光学素子及び／若しくは第２の光学素子を有し、
前記第１の発光用素子から発光される光を、直接、若しくは前記第１の光学素子を用いてその光の導光させる、発光される光を集光させる、若しくは発光される光の発光方向を変更させる等して、前記第２の受光用素子で受信し、
前記第２の発光用素子から発光される光を、直接、若しくは前記第２の光学素子を用いてその光の導光させる、発光される光を集光させる、若しくは発光される光の発光方向を変更させる等して、前記第１の受光用素子で受信し、
前記第１の発光用素子を駆動した時の前記第２の受光用素子の受光出力、及び／若しくは第２の発光用素子を駆動した時の前記第１の受光用素子の受光出力を、予め記憶されている正常範囲と比較し、
比較結果から前記第１の発光用素子、及び／若しくは前記第１の受光用素子の劣化進度を判定する、劣化検出方法。
【請求項４４】
前記第１の光学素子は、導光板、光ファイバ、反射板、レンズ、プリズムの何れかである、請求項４３に記載の劣化検出方法。
【請求項４５】
前記第２の光学素子は、導光板、光ファイバ、反射板、レンズ、プリズムの何れかである、請求項４３に記載の劣化検出方法。
【請求項４６】
前記予め記憶されている正常範囲は、前記第１の受光用素子で受光した光に応じた出力電圧波形の振幅、及び／若しくは前記第２の受光用素子で受光した光に応じた出力電圧波形の振幅であることを特徴とする、請求項４２乃至４５のいずれかに記載の劣化検出方法。
【請求項４７】
前記予め記憶されている正常範囲は、前記第１の受光用素子で受光した光に応じた特定周波数におけるパワースペクトル、及び／若しくは前記第２の受光用素子で受光した光に応じた特定周波数におけるパワースペクトルであることを特徴とする、請求項４２乃至４５のいずれかに記載の劣化検出方法。
【発明の詳細な説明】
【技術分野】
【０００１】
本発明は、平常時／異常時を問わず、日常生活中に利用者の生体情報を検出し、在宅健康管理や緊急通報を行う生体情報収集システムにおいて使用される脈検出装置の、脈センサデバイスの劣化進度を検出する劣化検出装置の構成、方法と前記劣化検出装置を用いた劣化検出システムに関するものである。
【背景技術】
【０００２】
従来から、送信用素子と受信用素子を用い、送信用素子からの送信信号が血流や血管壁によって変化を受け、反射信号として戻ってくる信号を受信用素子で受信／処理することで脈信号を得るという方法がある。例えば送信／受信信号として、超音波や光を用いて脈信号を得る脈検出装置の開発が進められている。
【０００３】
具体的には、超音波に関し、送信用電素子と受信用素子から構成され、入力する超音波と反射波との間のドップラシフト量から脈信号を得る脈拍計がある（例えば、特許文献１参照）。
【０００４】
また光に関し、送信用素子と受信用素子から構成され、送信する光と受信する反射光の強度の変位から脈信号を得る生体信号検出装置であって、装置電源投入時の送信用素子の駆動レベルとその時の受信用素子の受信レベルから測定信号に対する補正係数を求め、以後の測定信号にその補正係数を掛けることで脈信号を算出するものがある（例えば、特許文献２参照）。
【特許文献１】特開２００２−０８５３６１号公報（第５−６頁、第４図）
【特許文献２】特開２００３−３１０５８０号公報（第７−９頁、第６、７、８図）
【発明の開示】
【発明が解決しようとする課題】
【０００５】
特許文献１に記載された脈検出装置において、従来は脈信号を検出する脈センサデバイスの劣化の状態が定量的に分からなかったので、脈計測中に脈センサデバイスの故障により突然信号が得られなくなるなどの不具合が生じていた。そこで劣化進度を定量的に検出する劣化検出装置が必要とされていた。更に日常生活で長時間計測することによる生体情報収集システムへの応用を考慮すると、脈センサデバイスの故障が発生する前に予測する劣化検出システムの構築が課題でもあった。
【０００６】
また特許文献２に記載された生体信号検出装置は、毎電源投入時に装置内部で補正係数を求め、以後の測定はその補正係数を使用して測定データを算出するものであるため、使用者が見ることの出来る測定データは補正後のデータとなる。つまり送信用素子と受信用素子の劣化具合を使用者が確認することは出来ない。
【０００７】
また、生体信号検出装置で行われる補正は、あくまで生体信号検出装置内の送信用素子と受信用素子の出力値の相対関係を用いた補正であるため、送信用素子と受信用素子が同時に徐々に劣化していった場合は、確かな劣化具合を検出することは出来ない。即ち、送信用素子若しくは受信用素子の真の劣化の検出には至らない。
【課題を解決するための手段】
【０００８】
本発明は上述の課題を鑑みてなされたものであり、送信用素子からの送信信号が血流や血管壁によって変化を受け、反射信号として受信用素子で受信されたものを処理することで脈信号を得る脈検出装置（例えば、超音波や光を使用した脈拍検出装置）に対して使用する劣化検出装置、劣化検出方法および劣化検出システムを提供するものである。
【０００９】
具体的には劣化検出装置は、第１の送信用素子と第１の送信用素子から送信される信号の反射信号を受信する第１の受信用素子とからなる脈センサデバイスを備えた脈検出装置の、脈センサデバイスの劣化進度を定量的に検出するため、脈検出装置の脈センサデバイスと対になるように第２の送信用素子と第２の受信用素子を備えており、脈検出装置の脈センサデバイスを劣化検出装置に設置した際、脈センサデバイスに備えられた第１の送信用素子と劣化検出装置に備えられた第２の受信用素子、脈センサデバイスに備えられた第１の受信用素子と劣化検出装置に備えられた第２の送信用素子、がそれぞれ相対して向き合うように、第２の送信用素子と第２の受信用素子が配置されていることを特徴とする。
【００１０】
また劣化検出装置は、第１の送信用素子を駆動した時の第２の受信電素子の受信出力と予め記憶している正常範囲とを比較して第１の送信用素子の劣化進度を判定する第１の判定手段と、第２の送信用素子を駆動した時の第１の受信用素子の受信出力と予め記憶している正常範囲とを比較して第１の受信用素子の劣化進度を判定する第２の判定手段を備えたことを特徴とする。
【００１１】
また劣化検出装置の第１の判定手段あるいは第２の判定手段に用いられる正常範囲は、第１の受信用素子若しくは第２の受信用素子が受信した信号に応じた出力電圧波形の振幅、あるいは受信した信号の特定周波数におけるパワー値であることを特徴とする。
【００１２】
また劣化検出装置は、脈検出装置の充電器に具備されていることを特徴とする。
【００１３】
更に本発明の劣化検出方法は、第１の送信用素子と第１の送信素子から送信される信号の反射信号を受信する第１の受信用素子とからなる脈センサデバイスを備えた脈検出装置の、脈センサデバイスの劣化進度を、上記本発明の劣化検出装置を用いて定量的に検出する方法であり、脈センサデバイスに備えられた第１の送信用素子と劣化検出装置に備えられた第２の受信用素子、脈センサデバイスに備えられた第１の受信用素子と劣化検出装置に備えられた第２の送信用素子、がそれぞれ相対して向き合うように配置し、第１の送信用素子を駆動した時の第２の受信用素子の受信出力、及び／若しくは、第２の送信用素子を駆動した時の第１の受信用素子の受信出力を、予め記憶されている正常範囲と比較し、比較結果から第１の送信用素子、及び／若しくは第１の受信用素子の劣化進度を判定することを特徴とする。
【００１４】
また劣化検出方法の第１の判定手段あるいは第２の判定手段に用いられる正常範囲は、第１の受信用素子若しくは第２の受信用素子が受信した信号に応じた出力電圧波形の振幅、あるいは受信した信号の特定周波数におけるパワースペクトルであることを特徴とする。
【００１５】
更に本発明の劣化検出システムは、前記劣化検出装置と、脈センサデバイスを備えた脈検出装置と、劣化検出装置から検出されたデータを受信して前記受信データの履歴を記録する監視端末と、監視端末と公衆回線で接続されるセントラルサーバから構成される劣化検出システムであって、監視端末、あるいは前記セントラルサーバにおいて、脈センサデバイスの劣化データの履歴から送信用素子若しくは受信用素子の劣化が原因で脈の検出が出来なくなる時期を予測することを特徴とする。
【００１６】
ここで、劣化検出装置において、脈センサデバイスの劣化データの履歴から送信用素子若しくは受信用素子の劣化が原因で脈の検出が出来なくなる時期を予測するようにしてもよい。
【００１７】
また劣化検出システムは、センサデバイスの劣化進度と予測された生体情報の検出が出来なくなる時期が、監視端末、あるいはセントラルサーバから生体情報端末に送信され、生体情報端末の備えた表示手段に表示されることを特徴とする。
【００１８】
ここで、センサデバイスの劣化進度と予測された生体情報の検出が出来なくなる時期が、劣化検出装置から生体情報端末に送信され、生体情報端末の備えた表示手段に表示されるようにしてもよい。
【００１９】
尚、本劣化検出装置、劣化検出方法、及び劣化検出システムでは、超音波を用いて脈信号を得る脈検出装置に備えられた脈センサデバイスの劣化検出が可能であり、その場合、脈検出装置の脈センサデバイスの第１の送信用素子に超音波を発生する第１の送信用圧電素子を、第１の受信用素子に超音波を受信する第１の受信用圧電素子を、劣化検出装置に備えられる第２の送信用素子に超音波を発生する第２の送信用圧電素子を、第２の受信用素子に超音波を受信する第２の受信用圧電用素子を用いることとする。
【００２０】
また本劣化検出装置、劣化検出方法、及び劣化検出システムでは、光を用いて脈信号を得る脈検出装置に備えられた脈センサデバイスの劣化検出が可能であり、その場合、脈検出装置の脈センサデバイスの第１の送信用素子に光を発光する第１の発光用素子を、第１の受信用素子に光を受光する第１の受光用素子を、劣化検出装置に備えられる第２の送信用素子に光を発光する第２の発光用素子を、第２の受信用素子に光を受光する第２の受光用素子を用いることとする。
【００２１】
特に光を用いて脈信号を得る脈検出装置の場合、第１の発光用素子と第２の受光用素子の間に第１の光学素子を、及び／若しくは第２の発光用素子と第１の受光用素子の間に第２の光学素子を設置し、それぞれの光学素子によりそれぞれの発光用素子から発光される光を導光させる、発光される光を集光させる、若しくは発光される光の発光方向を変更させる等行うことで、それぞれの受光用素子に効率よく受光させるようにしてもよい。
【発明の効果】
【００２２】
本発明の劣化検出装置により、超音波や光を使用した脈拍検出装置の脈センサデバイスの劣化進度を定量的に検出することができる。
【００２３】
更に劣化進度の履歴を劣化検出装置上、監視端末上あるいは遠隔地のセントラルサーバ上で管理し処理することで、脈センサデバイスの故障時期を故障発生前に予測することが可能となる。これにより、脈の長時間計測による生体情報収集システムにおいて、故障のためにデータ計測ができなくなる事態が回避されることで、より信頼性の高い生体情報収集システムの実現が可能となる。
【発明を実施するための最良の形態】
【００２４】
以下、本発明の好適な実施の形態について、図面を参照しつつ詳細に説明する。
【実施例１】
【００２５】
図１は第１の実施形態を説明する図であり、本発明の劣化検出装置２の構成を示す断面図である。
【００２６】
図１において、生体情報端末１は超音波を使用して脈拍を検出するリストタイプの脈検出装置であり、後述する脈センサデバイス３によって脈を検出することができる。
【００２７】
前記劣化検出装置２は、第２の送信用圧電素子７と、第２の受信用圧電素子６と、前記第２の送信用圧電素子７と前記第２の受信用圧電素子６を支持する支持基板８と、音響インピーダンス整合層４とからなる劣化検出部９と、前記劣化検出部９を制御する図示しない劣化検出部制御手段と、劣化検出結果を表示する図示しない表示手段からなる。前記第２の送信用圧電素子７と前記第２の受信用圧電素子６は、脈センサデバイスを劣化検出装置２に設置した際、第２の受信用圧電素子６と脈センサデバイス３の第１の送信用圧電素子３２、第２の送信用圧電素子７と脈センサデバイス３の第１の受信用圧電素子３３、がそれぞれ相対して向き合うように配置され、前記音響インピーダンス整合層４によって固定される構成となっている。前記音響インピーダンス整合層４としては、音響インピーダンスが人体の音響インピーダンスと、前記第１の送信用圧電素子３２、前記第１の受信用圧電素子３３の音響インピーダンスとの間にある材料であれば制限はなく、例えばエポキシ系の樹脂やシリコン系の樹脂を用いることができる。
【００２８】
以下、図２を用いて本発明に用いられる脈センサデバイス３について説明する。
【００２９】
前記脈センサデバイス３は、第１の送信用圧電素子３２と第１の受信用圧電素子３３が基板３１上に並べて配置され、更に前記音響インピーダンス整合層４により固定される構成となっている。
【００３０】
脈を検出するためには、前記脈センサデバイス３の基板接着面と反対側の面を手首の皮膚上で脈を検出できる部位に配置し、前記脈センサデバイス３と皮膚との間に密着層５を挟んで計測する。密着層５は前記第１の送信用圧電素子３２から発信される超音波および、前記第１の受信用圧電素子３３で受信される超音波が減衰することを防ぐための層で、例えばシリコンゴムやシリコンゲルを用いることができる。
【００３１】
前記第１の送信用圧電素子３２から発信された超音波（送信波）が前記密着層５を透過し、人体の皮膚、脂肪を透過したのち、血管の血流にて反射した反射波が前記第１の受信用圧電素子３３によって検出される。血流によって反射された反射波の、送信波に対するドップラシフト量から脈信号が得られ、前記脈信号を信号処理することで脈拍を検出することができる。
【００３２】
図３は、本発明の劣化検出装置２の構成を示すブロック図である。以下、図３を用いて本発明の劣化検出装置２の構成について説明する。
【００３３】
前記劣化検出装置２は、第２の受信用圧電素子６と、第２の送信用圧電素子７と、前記第２の受信用圧電素子６と第２の送信用圧電素子７の動作制御を行う第２制御手段２１と、前記生体情報端末１の第１の外部端子１３と接続できるように配置されている第２の外部端子２３と、後述する判定手段２５と、前記判定手段２５による判定結果を表示する表示手段２７と、後述する図示しないＲＯＭとＲＡＭから構成される記憶手段２６と、前記記憶手段２６に記憶されたデータを外部へ送信する送信手段２４と、前記第２制御手段２１と判定手段２５と記憶手段２６と送信手段２４とを動作させるとともに、第２の外部端子２３を介して生体情報端末１の第１演算手段１２と接続して、前記第１の送信用圧電素子３２と第１の受信用圧電素子３３を制御する第１制御手段１１の動作を管理する第２演算手段２２とから構成される。
【００３４】
前記判定手段２５は、後述する劣化検出方法により、前記第１の送信用圧電素子３２あるいは前記第１の受信用圧電素子３３の劣化進度を判定する。
【００３５】
図４を用いて、前記判定手段において行われる劣化検出方法について説明する。
【００３６】
まずＳ４１において、図示しない生体情報端末設置確認手段により、前記生体情報端末１が前記劣化検出装置２に設置されたことを確認する。次にＳ４２において、前記生体情報端末１に備えられた第１の送信用圧電素子３２あるいは前記劣化検出装置２に備えられた第２の送信用圧電素子７に対して前記第２演算手段２２から予め定められた周波数、パワーのパルスが入力されるように、前記制御手段２１が制御される。Ｓ４３において、発生した超音波を受信する前記第２の受信用圧電素子６あるいは前記第１の受信用圧電素子３３から得られる出力と、前記記憶手段２６に記憶されている後述する正常範囲との比較を行い、前記第１の送信用圧電素子の劣化進度を判定する。判定の結果、出力が正常範囲である場合は、Ｓ４４で測定データが前記記憶手段２６に記憶され、判定の結果、出力が正常範囲にない場合は、Ｓ４５で予めＲＯＭに記憶している測定データと劣化進度の相関テーブルを参照して劣化進度を指数化して、測定データとともに前記記憶手段２６に記憶される。更に記憶手段２６に記憶された内容はＳ４６によって前記送信手段２４から定期的に外部へ送信される。
【００３７】
前記正常範囲は、前記第１の送信用圧電素子３２あるいは前記第２の送信用圧電素子７に既定のパルスを入力した時に、前記第２の受信用圧電素子６あるいは前記第１の受信用圧電素子３３が出力する出力電圧波形の振幅値で、例えば前記第１の送信用圧電素子３２および前記第２の送信用圧電素子７がまったく劣化していない場合に得られる電圧値の５０％以上の出力電圧であれば正常と判定する。
【００３８】
また前記正常範囲は、前記第１の送信用圧電素子３２あるいは前記第２の送信用圧電素子７に既定のパルスを入力した時に前記第２の受信用圧電素子６あるいは前記第１の受信用圧電素子３３から得られる出力波形に対して、例えばＦＦＴ処理を施し得られた周波数特性の、パワースペクトルのピークの値が、前記第１の送信用圧電素子３２あるいは前記第２の送信用圧電素子７がまったく劣化していない場合に得られるパワースペクトルのピークの値の５０％以上であれば正常と判定する。
【００３９】
前記記憶手段２６は、図示しないＲＯＭとＲＡＭから構成される。前記ＲＯＭには、前記正常範囲の他に、前記劣化検出装置２を動作させるための動作プログラムや、前記劣化検出装置２と前記生体情報端末１とを接続した時に、前記生体情報端末１を動作させるための動作プログラム、あるいは検出した信号に対する信号処理の方法などが記憶されている。一方図示しない前記ＲＡＭには前記判定手段で判定された判定結果および前記第１の受信用圧電素子３３あるいは前記第２の受信用圧電素子６から得られる出力波形の振幅値あるいは出力波形に対して例えばＦＦＴ処理を行い得られた特定周波数におけるパワースペクトルが記憶される。
【００４０】
前記送信手段２４は、前記記憶手段２６に記憶された前記振幅値、特定周波数におけるパワースペクトル、あるいは劣化進度の判定結果を定期的に外部へ送信する。送信先は例えば室内に設置されたホームサーバであって、前記ホームサーバを介して公衆回線を用いて遠隔地へ送信される。また前記劣化検出装置２が前記生体情報端末１の充電器の形態をとることで、例えば１日１回といったように定期的な劣化進度を検出することができる。更に劣化進度の判定結果は、前記生体情報端末１の備える図示しない表示手段に表示することもできる。
【実施例２】
【００４１】
前記劣化検出装置２に用いる正常範囲として、前記第１の受信用圧電素子３３あるいは第２の受信用圧電素子７から得られる測定データと前記脈センサデバイス３の劣化進度の相関テーブルを用いるかわりに、前記測定データと例えばシリコンゲルなどの密着層５との劣化進度の相関テーブルを用いることで、前記密着層５の劣化進度の定量検出および交換時期予測が可能となる。
【実施例３】
【００４２】
図５は第３の実施形態を説明する図であり、本発明の劣化検出装置２００の構成を示す断面図である。
【００４３】
図５において、生体情報端末１００は光を用いて脈拍を測定するリストタイプの脈検出装置であり、後述する脈センサデバイス１０１によって脈を検出することができる。
【００４４】
前記劣化検出装置２００は、第２の発光用素子２０１と、第２の受光用素子２０２と、前記第２の発光用素子２０１と前記第２の受光用素子２０２を支持する支持基板２０３と、前記第２の発光用素子２０１と前記第２の受光用素子２０２を保護するために前記第２の発光用素子２０１の発光方向側に配置されたカバーガラス２０４とからなる劣化検出部２０５と、前記劣化検出部を制御する図示しない劣化検出部制御手段と、劣化検出結果を表示する図示しない表示手段からなる。前記第２の発光用素子２０１と前記第２の受光用素子２０２は、脈センサデバイス１０１を劣化検出装置２００に設置した際、第２の受光用素子２０２と脈センサデバイス１０１の第１の発光用素子１０２、前記第２の発光用素子２０１と脈センサデバイス１０１の第１の受光用素子１０３、がそれぞれ相対して向き合うように配置される構成となっている。
【００４５】
以下、本発明に用いられる脈センサデバイス１０１について説明する。
【００４６】
前記脈センサデバイス１０１は、第１の発光用素子１０２と第１の受光用素子１０３が基板１０４上に並べて配置され、前記第１の発光用素子１０２と前記第１受光用素子１０３を保護するカバーガラス１０５は、前記第１の発光用素子１０２の発光方向に配置される構成となっている。
【００４７】
脈を検出するためには、前記脈センサデバイス１０１の基板接着面と反対側の面を手首に配置し計測を行う。
前記第１の発光用素子１０２から照射された光はカバーガラス１０５を通過し、人体の皮膚、脂肪、筋肉、血管、血液等で吸収、散乱を受け後方散乱した光は、カバーガラス１０５を通過し前記第１の受光用素子１０３によって検出される。脈動による血液量変化に伴って変動する検出光強度を信号処理することで脈拍を検出することができる。
【００４８】
図６は、本発明の劣化検出装置２００の構成を示すブロック図である。以下、図６をもちいて、本発明の劣化検出装置の構成について説明する。
【００４９】
前記劣化検出装置ａは、第２の受光用素子２０２と、第２の発光用素子２０１と、前記第２の受光用素子２０２と前記第２の発光用素子２０１の動作制御をおこなう第２制御手段２０６と、前記生体情報端末１００の第１の外部端子１０６と接続できるように配置されている第２の外部端子２０７と、後述する判定手段２０８と、前記判定手段２０８による判定結果を表示する表示手段２１０と、後述する図示しないＲＯＭとＲＡＭから構成される記憶手段２０９と、前記記憶手段２０９に記憶されたデータを外部へ送信する送信手段２１１と、前記第２制御手段２０６と前記判定手段２０８と前記記憶手段２０９と前記送信手段２１１とを動作させるとともに、前記第２の外部端子２０７を介して生体情報端末１００の第１演算手段１０７と接続して、前記第１の発光用素子１０２と前記第１の受光用素子１０３を制御する第１制御手段１０８の動作を管理する第２演算手段２１２とから構成される。本実施の形態では外部端子１０６と外部端子２０７を接続し生体情報端末１００の制御を行うが第１の発光用素子１０２、第１の受光用素子１０３、第２の発光用素子２０１及び第２の受光用素子２０２を利用した光伝播により生体情報端末１００の制御を行うこともできる。
【００５０】
前記判定手段２０８は、後述する劣化検出方法により、前記第１の発光用素子１０２あるいは前記第１の受光用素子１０３の劣化進度を判定する。
【００５１】
図７を用いて、前記判定手段において行われる劣化検出方法について説明する。
【００５２】
まずＳ７１において、図示しない生体情報端末設置確認手段により、前記生体情報端末１００が前記劣化検出装置２００に設置されたことを確認する。次にＳ７２において、前記生体情報端末１００に備えられた第１の発光用素子１０２あるいは劣化検出装置２００に備えられた第２の発光用素子２０１をあらあらかじめ定められた周波数、発光パワーで駆動するように、前記第２演算手段２１２によって前記第１制御手段１０８あるいは前記第２制御手段２０６が制御される。Ｓ７３において、発光したパルス光を受光する第２の受光用素子２０２あるいは第１の受光用素子１０３から得られる出力と、前記記憶手段２０９に記憶されている後述する正常範囲との比較を行い、前記第１の発光用素子１０２あるいは前記第１の受光用素子１０３の劣化進度を判定する。判定の結果、出力が正常範囲である場合は、Ｓ７４で測定データが前記記憶手段２０９に記憶され、判定の結果、出力が正常範囲にない場合は、Ｓ７５で予めＲＯＭに記憶している測定データと劣化進度の相関テーブルを参照して劣化進度を指数化して、測定データとともに前記記憶手段２０９に記憶される。更に記憶手段２０９に記憶された内容はＳ７６で前記送信手段２１１によって定期的に外部へ送信される。
【００５３】
前記正常範囲は、前記第１の発光用素子１０２あるいは第２の発光用素子２０１が既定のパルス光を発光した時に、前記第２の受光用素子２０２あるいは前記第１の受光用素子１０３が出力する出力電圧波形の出力値及び振幅値で、例えば前記第１の発光用素子１０２および前記第２の発光用素子２０１がまったく劣化していない場合に得られる電圧値の５０％以上の出力電圧であれば正常と判定する。
【００５４】
また前記正常範囲は、前記第１の発光用素子１０２あるいは第２の発光用素子２０１が既定のパルス光を発光した時に、前記第２の受光用素子２０２あるいは前記第１の受光用素子１０３が出力する出力電圧波形に対して、例えばＦＦＴ処理を施し得られたパワースペクトルのピークの値が、前記第１の受光用素子１０３および前記第２の受光用素子２０２がまったく劣化していない場合に得られるパワースペクトルのピークの値の５０％以上であれば正常と判定する。
【００５５】
前記記憶手段２０９は図示しないＲＯＭとＲＡＭから構成される。前記ＲＯＭには、前記正常範囲の他に、前記劣化検出装置２００と前記生体情報端末１００とを接続した時に、前記生体情報端末１００を動作させるための動作プログラム、あるいは検出した信号に対する信号処理の方法などが記憶されている。一方図示しない前記ＲＡＭには前記判定手段で判定された判定結果および前記第１の受光用素子１０３あるいは前記第２の受光用素子２０２から得られる出力波形の出力値および振幅値あるいは出力波形に対してＦＦＴ処理を行い得られた特定周波数におけるパワースペクトルが記憶される。
【００５６】
前記送信手段２１１は、前記記憶手段２０９に記憶された前記振幅値、特定周波数におけるパワースペクトル、あるいは劣化進度の判定結果を定期的に外部へ送信する。送信先は例えば室内に設置されたホームサーバであって、前記ホームサーバを介して公衆回線を用いて遠隔地へ送信される。また前記劣化検出装置２００が前記生体情報端末１００の充電器の形態をとることで、例えば１日１回といったように定期的な劣化進度を検出することができる。更に劣化進度の判定結果は、前記生体情報端末１００の備える図示しない表示手段に表示することもできる。
【実施例４】
【００５７】
図８は第４の実施形態を説明する図であり、本発明の劣化検出装置２００における劣化検出部２０５の構成を示す断面図である。
【００５８】
前記劣化検出部２０５は、第２の発光用素子２０１と、第２の受光用素子２０２と、前記第２の発光用素子２０１と前記第２の受光用素子２０２を支持する支持基板２０３と、前記第２の発光用素子２０１と前記第２の受光用素子２０２を保護するために前記第２の発光用素子２０１の発光方向側に配置されたカバーガラス２０４と、第１の発光用素子１０２で発せられた光を前記第２の受光用素子２０２へ、前記第２の発光用素子２０１から発せられた光を第１の受光用素子１０３へ導くための導光版２１３とからなる。このような構成をとることで前記第１の発光用素子１０２で発せられた光の反射光が前記第１の受光用素子１０３へ、前記第２の発光用素子２０１から発せられた光が前記第２の受光用素子２０２へ到達することがなくなる。更に、前記カバーガラス２０４に無反射コーティングを施すことで前記第１の発光用素子１０２で発せられた光の反射光が前記第１の受光用素子１０３へ、前記第２の発光用素子２０１から発せられた光が前記第２の受光用素子２０２へ到達することがなくなる。これにより、前記第１の発光用素子１０２と前記第１の受光用素子１０３を同時に検査することが可能となる。
【実施例５】
【００５９】
図９は第５の実施形態を説明する図であり、本発明の劣化検出装置２００における劣化検出部２０５の構成を示す断面図である。
【００６０】
前記劣化検出部２０５は、第２の発光用素子２０１と、第２の受光用素子２０２と、前記第２の発光用素子２０１と前記第２の受光用素子２０２を支持する支持基板２０３と、前記第２の発光用素子２０１と前記第２の受光用素子２０２を保護するために前記第２の発光用素子２０１の発光方向側に配置されたカバーガラス２０４と、前記第２の発光用素子２０１で発せられた光を前記第１の受光用素子１０３に導くための光ファイバ２１４とからなる。このような構成をとることで前記第２の発光用素子２０１を前記第１の受光用素子１０３と直線上の位置に配置することなく前記第２の発光用素子２０１から発せられた光は前記第１の受光用素子１０３へ到達することができ、受光用素子のサイズを限定することなく劣化検出を行うことができる。発光素子の発光パターンは発光素子によって大きく異なるが、このように大きな受光面を持つ受光素子を用いることが可能な機構にすることで発光用素子の発光パターンによらない計測が可能となる。本実施例では光ファイバはカバーガラスと一体となっているがカバーガラスと分かれた構造であっても同様の効果が得られる。
【実施例６】
【００６１】
図１０は第６の実施形態を説明する図であり、本発明の劣化検出装置２００における劣化検出部２０５の構成を示す断面図である。
【００６２】
前記劣化検出部２０５は、第２の発光用素子２０１と、第２の受光用素子２０２と、前記第２の発光用素子２０１と前記第２の受光用素子２０２を支持する支持基板２０３と、前記第２の発光用素子２０１と前記第２の受光用素子２０２を保護するために前記第２の発光用素子２０１の発光方向側に配置されたカバーガラス２０４と、前記第２の発光用素子２０１で発せられた光を集光し前記第１の受光用素子１０３へ導く、前記第１の発光用素子１０２で発せられて光を集光し前記第２の受光用素子２０２へ導くためのレンズ２１５とからなる。このようにレンズを用いて発光用素子から発せられた光を集光することで発光用素子の発光パターンによらない計測が可能となる。本実施例ではカバーガラスとレンズは分かれているがカバーガラスとレンズが一体となった構造でも同様の効果が得られる。
【実施例７】
【００６３】
図１１は第７の実施形態を説明する図であり、本発明の劣化検出装置２００における劣化検出部２０５の構成を示す断面図である。
【００６４】
前記劣化検出部２０５は、第２の発光用素子２０１と、第２の受光用素子２０２と、前記第２の発光用素子２０１と前記第２の受光用素子２０２を支持する支持基板２０３と、前記第２の発光用素子２０１と前記第２の受光用素子２０２を保護するために前記第２の発光用素子２０１の発光方向側に配置されたカバーガラス２０４と、前記第１の発光用素子１０２から発せられた光を反射し前記第２の受光用素子２０２へ導くための反射板２１６とからなる。このように反射板を用いて受光用素子に光を導くことで受光用素子の位置を自由に設定することができるため大きな受光面を持つ受光素子を用いることが可能となり、発光用素子の発光パターンによらない計測が可能となる。本実施例では反射板は第１の発光用素子１０２から発せられた光を反射するのみであるが第２の発光用素子２０１から発せられた光を反射する反射板を用いることで、前記第２の発光用素子２０１を前記第１の受光用素子１０３と直線上の位置に配置することなく前記第２の発光用素子２０１から発せられた光は前記第１の受光用素子１０３へ到達することができ、受光用素子のサイズを限定することなく劣化検出を行うことができる。発光素子の発光パターンは発光素子によって大きく異なるが、このように大きな受光面を持つ受光素子を用いることが可能な機構にすることで発光用素子の発光パターンによらない計測が可能となる。また本実施例では反射板を用いているが反射板の変わりにプリズムを用いても同様の効果が得られる。
【実施例８】
【００６５】
図１２は第８の実施形態を説明する図であり、本発明の劣化検出装置２を用いた劣化検出システム５５の構成を５示す図である。
【００６６】
劣化検出システム５５は、脈拍を長時間計測し被験者の健康状態を管理する生体情報収集システムの中に組み込まれており、携帯して脈を検出する生体情報端末１と、劣化検出装置２と、生体情報端末１から無線で送信される脈データと、劣化検出装置２から無線あるいは有線で送信される劣化進度に関する測定データを受信する監視端末５３と、監視端末５３と公衆回線を介してデータの送受信を行う遠隔地に設置されたセントラルサーバ５４とから構成される。
【００６７】
ここで前記生体情報端末及び前記劣化検出装置は、実施例１に記載の生体情報端末１及び劣化検出装置２とし、説明を割愛する。
【００６８】
前記監視端末５３は、定期的に（例えば１日１回の頻度で）前記劣化検出装置２から第１の受信用圧電素子３３あるいは第２の受信用圧電素子６の出力波形の振幅値あるいはＦＦＴ処理し得られた特定周波数におけるパワースペクトルと、劣化進度を指数化したデータを受信し、履歴データとして記録される。
【００６９】
履歴データは、前記監視端末５３の図示しない処理手段で処理されるか、あるいは前記セントラルサーバ５４へ送信された後、前記セントラルサーバ５４に備えられた図示しない処理手段で処理されるかして、前記生体情報端末１に備えられた前記脈センサデバイス３の故障時期が予測される。
【００７０】
前記予測された故障時期は、例えば故障予測日の３日前に前記監視装置５３若しくは前記セントラルサーバ５４から前記生体情報端末１若しくは前記劣化検出装置２へ送信され、前記生体情報端末１若しくは前記劣化検出装置２の図示しない表示手段に表示される、２、あるいは図示しない報知手段により被計測者へ報知される。
【００７１】
尚、生体情報端末及び劣化検出装置は、実施例３から実施例７に記載の生体情報端末１００及び劣化検出装置２００でもよい。
【００７２】
また前記劣化検出装置２が前記生体情報端末１の充電器の形態をとるようにし、例えば１日１回といったように定期的な劣化進度を検出し、劣化進度に関する測定データを監視端末５３に提供するようにしてもよい。
【００７３】
また履歴データの処理は、監視端末５３、セントラルサーバ５４の他、劣化検出装置２内で行うことも可能である。その場合、予測された故障時期は劣化検出装置２の図示しない表示手段、あるいは生体情報端末１の図示しない表示手段に表示される。劣化検出装置２と生体情報端末１間の通信は、生体情報端末１の第１の外部端子１３と劣化検出装置２の第２の外部端子２３を用いて可能である。
【００７４】
上記のような劣化検出システムとすることにより、被計測者は脈センサデバイスの故障時期を故障発生前に予測することが可能となり、更に脈拍の長時間計測において故障のためにデータ計測ができなくなる事態が回避できる。
【図面の簡単な説明】
【００７５】
【図１】本発明の第１の実施形態を示す劣化検出装置の構成を示す構成図である。
【図２】本発明の第１の実施形態を示す劣化検出装置で劣化を検出する脈センサデバイスの構成を示す構成図である。
【図３】本発明の第１の実施形態を示す劣化検出装置のブロック図である。
【図４】本発明の第１の実施形態を示す劣化検出装置の劣化検出方法を示したチャート図である。
【図５】本発明の第３の実施形態を示す劣化検出装置の構成を示す断面図である。
【図６】本発明の第３の実施形態を示す別の劣化検出装置のブロック図である。
【図７】本発明の第３の実施形態を示す劣化検出装置の劣化検出方法を示したチャート図である。
【図８】本発明の第４の実施形態を示す劣化検出装置の構成を示す断面図である。
【図９】本発明の第５の実施形態を示す劣化検出装置の構成を示す断面図である。
【図１０】本発明の第６の実施形態を示す劣化検出装置の構成を示す断面図である。
【図１１】本発明の第７の実施形態を示す劣化検出装置の構成を示す断面図である。
【図１２】本発明の劣化検出システムの構成を示した構成図である。
【符号の説明】
【００７６】
１、１００   生体情報端末
２、２００   劣化検出装置
３、１０１   脈センサデバイス
３１、１０４  基板
３２  第１の送信用圧電素子
３３  第１の受信用圧電素子
４  音響インピーダンス整合層
５  密着層
６  第２の受信用圧電素子
７  第２の送信用圧電素子
８、２０３  支持基板
１０２  第１の発光用素子
１０３  第１の受光用素子
１０５、２０４  カバーガラス
１３、１０６  第１の外部端子
１２、１０７  第１演算手段
１１、１０８  第１制御手段
２０１  第２の発光用素子
２０２  第２の受光用素子
９、２０５  劣化検出部
２１、２０６  第２制御手段
２３、２０７  第２の外部端子
２５、２０８  判定手段
２６、２０９  記憶手段
２７、２１０  表示手段
２４、２１１  送信手段
２２、２１２  第２演算手段
２１３  導光版
２１４  光ファイバ
２１５  レンズ２１６  反射板
５３  監視端末
５４  セントラルサーバ
５５  劣化検出システム
【図１】
2004298619.tif 000003
【図２】
2004298619.tif 000004
【図３】
2004298619.tif 000005
【図４】
2004298619.tif 000006
【図５】
2004298619.tif 000007
【図６】
2004298619.tif 000008
【図７】
2004298619.tif 000009
【図８】
2004298619.tif 000010
【図９】
2004298619.tif 000011
【図１０】
2004298619.tif 000012
【図１１】
2004298619.tif 000013
【図１２】
2004298619.tif 000014